(57)【要約】【課題】受信信号強度インジケータの温度補正方法及び装置を提供する。【解決手段】温度補正装置は、現在の温度を測定する温度センサと、現在の温度に基づいて、予め記憶された常温温度、低温温度及び高温温度に対応する温度補正係数から温度補正係数を選択し、選択された温度補正係数に基づいて、受信信号強度インジケータ（ＲＳＳＩ）の出力信号に対して温度補正を行い、ＲＳＳＩの入力信号の電力を取得するデジタル補正モジュールとを含む。本発明の方法及び装置は、ＲＳＳＩの３つの温度における特性を測定し、補間法によりＲＳＳＩの温度特性を補正することで、任意の温度における入力信号の正確な電力値を取得する。本発明の実施例に係る方法及び装置は、従来技術に比べて、メモリの使用量を低減し、温度補正の精度を向上する。【選択図】図６
2014071115.tif 000002
【特許請求の範囲】
【請求項１】
現在の温度を測定する温度センサと、
現在の温度に基づいて、予め記憶された常温温度、低温温度及び高温温度に対応する温度補正係数から温度補正係数を選択し、選択された温度補正係数に基づいて、受信信号強度インジケータ（ＲＳＳＩ）の出力信号に対して温度補正を行うデジタル補正モジュールと、を含む、受信信号強度インジケータの温度補正装置。
【請求項２】
前記デジタル補正モジュールは、
現在の温度と所定の常温温度とを比較するコンパレータと、
前記コンパレータの比較結果に基づいて、高温温度係数又は低温温度係数を温度補正係数として選択するセレクタと、
選択された温度補正係数及びＲＳＳＩの出力信号に基づいて、逆ＲＳＳＩ特性差を計算する逆ＲＳＳＩ特性差生成モジュールと、
逆ＲＳＳＩ特性差、ＲＳＳＩの出力信号及び常温温度係数に基づいて、逆ＲＳＳＩ特性を計算する逆ＲＳＳＩ特性生成モジュールと、を含む、請求項１に記載の温度補正装置。
【請求項３】
前記セレクタは、前記コンパレータの比較結果として現在の温度が常温温度よりも低い場合、低温温度係数を温度補正係数として選択し、前記コンパレータの比較結果として現在の温度が常温温度以上である場合、高温温度係数を温度補正係数として選択する、請求項２に記載の温度補正装置。
【請求項４】
前記逆ＲＳＳＩ特性差生成モジュールは、現在の温度が常温温度よりも低い場合、下記の式
ｇ（ｘ）＝（ｔ−ｔ０）＊（ｂｌ０＋ｂｌ１＊ｘ＋ｂｌ２＊ｘ２＋…）
に基づいて、逆ＲＳＳＩ特性差ｇ（ｘ）を計算し、
前記逆ＲＳＳＩ特性差生成モジュールは、現在の温度が常温温度以上である場合、下記の式
ｇ（ｘ）＝（ｔ−ｔ０）＊（ｂｈ０＋ｂｈ１＊ｘ＋ｂｈ２＊ｘ２＋…）
に基づいて、逆ＲＳＳＩ特性差ｇ（ｘ）を計算し、
ここで、ｔは現在の温度であり、ｔ０は所定の常温温度であり、ｂｌ０、ｂｌ１、ｂｌ２、…は所定の低温温度ｔｌに対応する低温温度係数であり、ｂｈ０、ｂｈ１、ｂｈ２、…は所定の高温温度ｔｈに対応する高温温度係数であり、ｘはＲＳＳＩの出力信号である、請求項２に記載の温度補正装置。
【請求項５】
前記逆ＲＳＳＩ特性生成モジュールは、下記の式
ｆ（ｘ＋ｇ（ｘ））＝ａ０＋ａ１＊（ｘ＋ｇ（ｘ））＋ａ２＊（ｘ＋ｇ（ｘ））２＋…
に基づいて、逆ＲＳＳＩ特性を計算し、
ここで、ａ０、ａ１、ａ２、…は、常温温度ｔ０に対応する常温温度係数であり、ｘはＲＳＳＩの出力信号であり、ｇ（ｘ）は逆ＲＳＳＩ特性差である、請求項２に記載の温度補正装置。
【請求項６】
所定の常温温度ｔ０におけるＲＳＳＩ特性に対応する常温温度係数ａ０、ａ１、ａ２、…、所定の低温温度ｔｌにおけるＲＳＳＩ特性に対応する低温温度係数ｂｌ０、ｂｌ１、ｂｌ２、…、及び所定の高温温度ｔｈにおけるＲＳＳＩ特性に対応する高温温度係数ｂｈ０、ｂｈ１、ｂｈ２、…をそれぞれ計算する計算モジュールと、
前記常温温度係数ａ０、ａ１、ａ２、…、低温温度係数ｂｌ０、ｂｌ１、ｂｌ２、…、及び高温温度係数ｂｈ０、ｂｈ１、ｂｈ２、…を記憶する記憶モジュールと、をさらに含む、請求項２に記載の温度補正装置。
【請求項７】
前記計算モジュールは、
常温温度ｔ０、低温温度ｔｌ、高温温度ｔｈそれぞれにおけるＲＳＳＩ特性を測定する測定モジュールと、
前記常温温度ｔ０、低温温度ｔｌ、高温温度ｔｈにおけるＲＳＳＩ特性の逆特性を取得する逆特性取得モジュールと、
常温温度ｔ０における逆ＲＳＳＩ特性を多項式フィッティングし、常温温度ｔ０におけるＲＳＳＩ特性に対応する常温温度係数ａ０、ａ１、ａ２、…を取得する第１の計算モジュールと、
常温温度ｔ０における逆ＲＳＳＩ特性と高温温度ｔｈにおける逆ＲＳＳＩ特性との差を多項式フィッティングし、高温温度ｔｈにおけるＲＳＳＩ特性に対応する高温温度係数ｂｈ０、ｂｈ１、ｂｈ２、…を取得する第２の計算モジュールと、
常温温度ｔ０における逆ＲＳＳＩ特性と低温温度ｔｌにおける逆ＲＳＳＩ特性との差を多項式フィッティングし、低温温度ｔｌにおけるＲＳＳＩ特性に対応する低温温度係数ｂｌ０、ｂｌ１、ｂｌ２、…を取得する第３の計算モジュールと、を含む、請求項６に記載の温度補正装置。
【請求項８】
請求項１乃至７のいずれかに記載の温度補正装置を含む電子機器であって、
前記温度補正装置により、前記電子機器が信号の電力を測定する時のＲＳＳＩの出力信号に対して温度補正を行う電子機器。
【請求項９】
請求項１乃至５のいずれかに記載の温度補正装置と、請求項６又は７に記載の計算モジュール及び記憶モジュールとを含む電子機器であって、
前記温度補正装置により、前記電子機器が信号の電力を測定する時のＲＳＳＩの出力信号に対して温度補正を行う電子機器。
【請求項１０】
現在の温度を測定し、
現在の温度に基づいて、予め記憶された常温温度、低温温度及び高温温度に対応する温度補正係数から温度補正係数を選択し、
選択された温度補正係数及び受信信号強度インジケータ（ＲＳＳＩ）の出力信号に基づいて、逆ＲＳＳＩ特性差を計算し、
逆ＲＳＳＩ特性差、ＲＳＳＩの出力信号及び常温温度係数に基づいて、逆ＲＳＳＩ特性を計算する、受信信号強度インジケータの温度補正方法。
【発明の詳細な説明】
【技術分野】
【０００１】
本発明は、温度補正に関し、特に受信信号強度インジケータ（ＲＳＳＩ：Ｒｅｃｅｉｖｅｄ  Ｓｉｇｎａｌ  Ｓｔｒｅｎｇｔｈ  Ｉｎｄｉｃａｔｏｒ）により電力を測定する場合、ＲＳＳＩの温度特性を補正するＲＳＳＩ温度補正方法及び装置に関する。
【背景技術】
【０００２】
従来は、受信信号強度インジケータ（ＲＳＳＩ）は信号の電力を測定するために広く用いられている。しかし、環境温度の変化はＲＳＳＩの特性に影響を与え、電力の測定結果が不正確となってしまう。環境温度が変化する際に、ＲＳＳＩの電力の測定結果の正確性を保証するために、ＲＳＳＩの温度特性を補正する必要がある。
【０００３】
従来の温度補正方法は三種類に分けられる。最も使われている方法は、各温度におけるＲＳＳＩ温度補正値を記憶し、現在の温度に基づいて対応する補正値を選択して補正を行う。もう一種類の方法は、ＲＳＳＩの温度特性と逆の特性を有するアナログ機器を用いて補正を行う。第三種類は、トレーニング信号送信サブ通路を増加し、ＲＳＳＩに対して周期性補正を行う。これらの方法はいずれもハードウェアの複雑度の増加に繋がる。なお、上述した技術背景の説明は、本発明の技術案を明確、完全に理解させるための説明であり、当業者を理解させるために記述されているものである。これらの技術案は、単なる本発明の背景技術部分として説明されたものであり、当業者により公知されたものではない。
【発明の概要】
【発明が解決しようとする課題】
【０００４】
本発明の実施例は、温度補正の精度を向上する受信信号強度インジケータの温度補正方法及び装置を提供することを目的とする。
【課題を解決するための手段】
【０００５】
本発明の実施例の一の態様によれば、現在の温度を測定する温度センサと、現在の温度に基づいて、予め記憶された常温温度、低温温度及び高温温度に対応する温度補正係数から温度補正係数を選択し、選択された温度補正係数に基づいて、受信信号強度インジケータ（ＲＳＳＩ）の出力信号に対して温度補正を行うデジタル補正モジュールと、を含む、受信信号強度インジケータの温度補正装置を提供する。
【０００６】
本発明の実施例の他の態様によれば、上記の温度補正装置を含む電子機器であって、前記温度補正装置により、前記電子機器が信号の電力を測定する時のＲＳＳＩの出力信号に対して温度補正を行う電子機器を提供する。
【０００７】
本発明の実施例の他の態様によれば、上記の温度補正装置と、計算モジュール及び記憶モジュールとを含む電子機器であって、前記温度補正装置により、前記電子機器が信号の電力を測定する時のＲＳＳＩの出力信号に対して温度補正を行う電子機器を提供する。
【０００８】
本発明の実施例の他の態様によれば、現在の温度を測定し、現在の温度に基づいて、予め記憶された常温温度、低温温度及び高温温度に対応する温度補正係数から温度補正係数を選択し、選択された温度補正係数及び受信信号強度インジケータ（ＲＳＳＩ）の出力信号に基づいて、逆ＲＳＳＩ特性差を計算し、逆ＲＳＳＩ特性差、ＲＳＳＩの出力信号及び常温温度係数に基づいて、逆ＲＳＳＩ特性を計算する、受信信号強度インジケータの温度補正方法を提供する。
【発明の効果】
【０００９】
本発明の実施例によれば、ＲＳＳＩの３つの温度における特性を測定し、補間法によりＲＳＳＩの温度特性を補正することで、任意の温度における入力信号の正確な電力値を取得する。従来技術に比べて、メモリの使用量を低減し、温度補正の精度を向上する。
【００１０】
本発明の特定の実施形態は、後述の説明及び図面に示すように、詳細に開示され、本発明の原理を採用されることが可能な方式を示している。なお、本発明の実施形態は、範囲上には限定されるものではない。本発明の実施形態は、添付されている特許請求の範囲の主旨及び内容の範囲内、各種の改変、修正、及び同等的なものが含まれる。
【００１１】
ある一つの実施形態に説明及び又は示されている特徴は、同一又は類似の方式で一つ又は多くの他の実施形態に使用されてもよく、他の実施形態における特徴と組み合わせてもよく、他の実施形態における特徴を代替してもよい。
【００１２】
なお、用語「包括／含む」は、本文に使用される際に、特徴、要素、ステップ又は構成要件の存在を意味し、一つ又は複数の他の特徴、要素、ステップ又は構成要件の存在又は追加を排除するものではない。
【図面の簡単な説明】
【００１３】
本発明は、図面を参照しながら下記説明するものにより、よりよく理解できる。図面における素子は、比例に応じて描くものではなく、本発明の原理を示すものである。本発明のある部分を示すため、図面における対応部分が拡大又は縮小されてもよい。本発明のある図面又はある実施形態に記載された構成要件及び特徴は、一つ又は多くの他の図面又は実施形態に示された構成要件及び特徴と組み合わせてもよい。また、図面において、類似の符号は、いくつの図面における対応の部材を示してもよく、複数の実施形態に用いられる対応の部材を示してもよい。
【図１】本発明の実施例に係る温度補正装置の構成を示す図。
【図２】本発明の実施例に係る温度補正装置の温度補正モジュールの構成を示す図。
【図３】本発明の実施例に係る温度補正装置の計算モジュール及びメモリの構成を示す図。
【図４】本発明の一の実施例に係る電子機器の構成を示す図。
【図５】本発明の他の実施例に係る電子機器の構成を示す図。
【図６】本発明の実施例に係る温度補正方法を示すフローチャート。
【図７】本発明の実施例に係る温度補正方法の動作を示すフローチャート。
【図８】本発明の実施例に係る温度補正係数の方法を示すフローチャート。
【図９】本発明の実施例に係る温度補正係数の動作を示すフローチャート。
【発明を実施するための形態】
【００１４】
本発明の実施例は、図面及び下記の説明により理解できるものである。これらの実施形態は、単なる例示的なものであり、本発明を制限するものではない。当業者に本発明の原理及び実施形態をより簡単に理解させるため、本発明の実施例では、ＲＳＳＩを用いて電力を測定するケースの温度補正を例として説明しているが、本発明の実施例はこのケースに限定されず、電力測定に関する他の温度補正のケースにも適用できる。
【００１５】
以下、図面を参照しながら本発明の好適な実施形態を説明する。
【００１６】
＜実施例１＞
本発明の実施例は、受信信号強度インジケータの温度補正装置を提供する。図１は、温度補正装置の構成を示す図である。図１に示すように、温度補正装置は、温度センサ１１と、デジタル補正モジュール１２とを含む。
【００１７】
温度センサ１１は、現在の温度を測定する。
【００１８】
デジタル補正モジュール１２は、現在の温度に基づいて、予め記憶された常温温度、低温温度及び高温温度に対応する温度補正係数から温度補正係数を選択し、選択された温度補正係数に基づいて、受信信号強度インジケータ（ＲＳＳＩ）の出力信号に対して温度補正を行う。よって、ＲＳＳＩの入力信号の電力を取得する。
【００１９】
図１に示すように、ＲＳＳＩの出力信号がＡ／Ｄ変換器によりデジタル信号ｘを取得し、該デジタル信号ｘがその後のデジタル補正モジュール１２に入力される。温度センサ１１（例えばアナログ温度センサ）は、現在の環境温度を測定し、Ａ／Ｄ変換器を用いてデジタル温度値ｔを取得する。デジタル補正モジュール１２は、現在の温度ｔに基づいて、入力信号ｘに対して温度補正を行い、入力信号の正確な電力値を取得して出力する。
【００２０】
以下の説明では、特別の説明がない限り、「ＲＳＳＩの出力信号」とは、Ａ／Ｄ変換器により変換されたデジタル信号ｘであり、「現在の温度」とは、Ａ／Ｄ変換器により取得されたデジタル温度値ｔである。
【００２１】
一の実施例では、常温温度、低温温度及び高温温度に対応する温度補正係数は、常温温度、低温温度、高温温度におけるＲＳＳＩ特性を予め測定し、多項式により各温度における逆ＲＳＳＩ特性をフィッティングすることで取得してもよい。即ち、ＲＳＳＩの３つの温度（常温温度ｔ０；高温温度ｔｈ、例えばＲＳＳＩの作動環境の最高温度；低温温度ｔｌ、例えばＲＳＳＩの作動環境の最低温度）における特性を先に測定し、測定されたこの３つの温度における特定に基づいて、多項式によりフィッティングし、対応する３組の温度補正係数を取得する。これらの温度補正係数は、デジタル補正モジュール１２のメモリに記憶されてもよいし、外部のメモリに記憶されてもよく、本実施例はこれらに限定されない。温度補正係数の計算プロセスの詳細は後述する。
【００２２】
一の実施例では、図２に示すように、デジタル補正モジュール１２は、コンパレータ１２１、セレクタ１２２、逆ＲＳＳＩ特性差生成モジュール１２３、及び逆ＲＳＳＩ特性生成モジュール１２４を含む。
【００２３】
コンパレータ１２１は、現在の温度ｔと常温温度ｔ０とを比較する。
【００２４】
ここで、現在の温度ｔは、温度センサ１１により測定され、常温温度ｔ０、高温温度ｔｈ及び低温温度ｔｌの値は、ＲＳＳＩの入力信号の作動特性に基づいて予め設定されてもよく、上述したように、本実施例はここに例示されるものに限定されない。
【００２５】
セレクタ１２２は、コンパレータ１２１の比較結果に基づいて、高温温度係数又は低温温度係数を逆ＲＳＳＩ特性差生成モジュール１２３の温度補正係数として選択する。
【００２６】
ここで、現在の温度が常温温度以上である、即ちｔ−ｔ０≧０の場合、セレクタ１２２は、高温温度係数ｂｈ０、ｂｈ１、…を温度補正係数として逆ＲＳＳＩ特性差生成モジュール１２３に提供し、現在の温度が常温温度よりも低い、即ちｔ−ｔ０＜０の場合、セレクタ１２２は、低温温度係数ｂｌ０、ｂｌ１、…を温度補正係数として逆ＲＳＳＩ特性差生成モジュール１２３に提供する。
【００２７】
ここで、高温温度係数ｂｈ０、ｂｈ１、…、低温温度係数ｂｌ０、ｂｌ１、…、及び常温温度係数ａ０、ａ１、…は、メモリに予め記憶され、該メモリはデジタル補正モジュール１２のメモリであってもよいし、外部のメモリであってもよい。
【００２８】
ここで、一の実施例では、温度補正装置は、高温温度補正係数、低温温度補正係数及び常温温度補正係数を計算する計算モジュール３１、及び温度補正装置は、高温温度補正係数、低温温度補正係数及び常温温度補正係数を記憶するメモリ３２をさらに含む。
【００２９】
計算モジュール３１は、所定の常温温度ｔ０におけるＲＳＳＩ特性に対応する常温温度係数ａ０、ａ１、ａ２、…、所定の低温温度ｔｌにおけるＲＳＳＩ特性に対応する低温温度係数ｂｌ０、ｂｌ１、ｂｌ２、…、及び所定の高温温度ｔｈにおけるＲＳＳＩ特性に対応する高温温度係数ｂｈ０、ｂｈ１、ｂｈ２、…をそれぞれ計算する。
【００３０】
メモリ３２は、常温温度係数ａ０、ａ１、ａ２、…、低温温度係数ｂｌ０、ｂｌ１、ｂｌ２、…、及び高温温度係数ｂｈ０、ｂｈ１、ｂｈ２、…を記憶する。
【００３１】
本実施例では、図３に示すように、計算モジュール３１は、測定モジュール３１１、逆特性取得モジュール３１２、第１の計算モジュール３１３、第２の計算モジュール３１４、及び第３の計算モジュール３１５を含んでもよい。
【００３２】
測定モジュール３１１は、常温温度ｔ０、低温温度ｔｌ、高温温度ｔｈそれぞれにおけるＲＳＳＩ特性を測定する。
【００３３】
ここで、該特性は、入力電力と出力電圧との関係である。
【００３４】
逆特性取得モジュール３１２は、異なる温度におけるＲＳＳＩ特性の逆特性を取得する。
【００３５】
ここで、上記ＲＳＳＩ特性の入力と出力を直接交換することで、上記３つの温度における逆ＲＳＳＩ特性を取得できる。
【００３６】
第１の計算モジュール３１３は、常温温度ｔ０における逆ＲＳＳＩ特性を多項式フィッティングし、常温温度ｔ０におけるＲＳＳＩ特性に対応する常温温度係数ａ０、ａ１、ａ２、…を取得する。
【００３７】
ここで、多項式を用いて常温ｔ０の逆ＲＳＳＩ特性をフィッティングして、最小二乗法（ＬＳ）により常温温度補正係数ａ０、ａ１、…を取得できる。
【００３８】
第２の計算モジュール３１４は、常温温度ｔ０における逆ＲＳＳＩ特性と高温温度ｔｈにおける逆ＲＳＳＩ特性との差を多項式フィッティングし、高温温度ｔｈにおけるＲＳＳＩ特性に対応する高温温度係数ｂｈ０、ｂｈ１、ｂｈ２、…を取得する。
【００３９】
ここで、常温温度ｔ０における逆ＲＳＳＩ特性と高温温度ｔｈにおける逆ＲＳＳＩ特性との差を先に計算する、即ち常温温度ｔ０における逆ＲＳＳＩ特性から高温温度ｔｈにおける逆ＲＳＳＩ特性を減らして、多項式によりこの差をフィッティングして、最小二乗法（ＬＳ）により高温温度補正係数ｂｈ０、ｂｈ１、…を取得できる。
【００４０】
第３の計算モジュール３１５は、常温温度ｔ０における逆ＲＳＳＩ特性と低温温度ｔｌにおける逆ＲＳＳＩ特性との差を多項式フィッティングし、低温温度ｔｌにおけるＲＳＳＩ特性に対応する低温温度係数ｂｌ０、ｂｌ１、ｂｌ２、…を取得する。
【００４１】
ここで、常温温度ｔ０における逆ＲＳＳＩ特性と低温温度ｔｌにおける逆ＲＳＳＩ特性との差を先に計算する、即ち常温温度ｔ０における逆ＲＳＳＩ特性から低温温度ｔｌにおける逆ＲＳＳＩ特性を減らして、多項式によりこの差をフィッティングして、最小二乗法（ＬＳ）により低温温度補正係数ｂｌ０、ｂｌ１、…を取得できる。
【００４２】
本実施例では、上記の多項式は普通の多項式又は直交多項式を用いてもよい。温度補正係数の数は、用いられる多項式の階数により決定される。上記３つの温度における温度補正係数の数は同じであってもよいし、異なってもよい。
【００４３】
本実施例では、計算モジュール３１及びメモリ３２はデジタル補正モジュール１２に含まれているが、本実施例はこれに限定されない。他の実施例では、計算モジュール３１及びメモリ３２は、デジタル補正モジュール１２の一部ではなく、デジタル補正モジュール１２から独立したものであってもよい。他の実施例では、計算モジュール３１のみがデジタル補正モジュール１２の一部であり、メモリ３２がデジタル補正モジュール１２から独立したものであってもよい。この場合、デジタル補正モジュール１２は、温度センサ１１により測定された現在の温度に基づいて、メモリ３２から対応の温度補正係数を選択する。なお、以上は単なる一例に過ぎず、本発明の実施例に係る温度補正装置を具体的に実施する際に、本発明の技術的思想に応じて計算モジュール３１及びメモリ３２に対して各種の配置を行ってもよく、その内容は本発明の保護範囲内に含まれるものである。
【００４４】
逆ＲＳＳＩ特性差生成モジュール１２３は、セレクタ１２２により選択された温度補正係数及びＲＳＳＩの出力信号に基づいて、逆ＲＳＳＩ特性差を計算する。
【００４５】
ここで、ｔ−ｔ０＜０の場合、セレクタ１２２が低温温度係数を選択しているため、逆ＲＳＳＩ特性差生成モジュール１２３は、下記の式
ｇ（ｘ）＝（ｔ−ｔ０）＊（ｂｌ０＋ｂｌ１＊ｘ＋ｂｌ２＊ｘ２＋…）
に基づいて、逆ＲＳＳＩ特性差ｇ（ｘ）を計算する。
【００４６】
一方、ｔ−ｔ０≧０の場合、セレクタ１２２が高温温度係数を選択しているため、逆ＲＳＳＩ特性差生成モジュール１２３は、下記の式
ｇ（ｘ）＝（ｔ−ｔ０）＊（ｂｈ０＋ｂｈ１＊ｘ＋ｂｈ２＊ｘ２＋…）
に基づいて、逆ＲＳＳＩ特性差ｇ（ｘ）を計算する。
【００４７】
図２に示すように、逆ＲＳＳＩ特性差生成モジュール１２３の出力信号ｇ（ｘ）を入力信号ｘに加算することで、現在温度ｔの常温温度ｔ０に対する温度特性差を補正できる。補正された値、即ち加算の結果ｇ（ｘ）＋ｘは、逆ＲＳＳＩ特性生成モジュール１２４の入力としてもよい。
【００４８】
逆ＲＳＳＩ特性生成モジュール１２４は、該逆ＲＳＳＩ特性差ｇ（ｘ）、該ＲＳＳＩの出力信号ｘ及び常温温度係数に基づいて、常温における逆ＲＳＳＩ特性を計算する。
【００４９】
ここで、逆ＲＳＳＩ特性差ｇ（ｘ）とＲＳＳＩの出力信号ｘを逆ＲＳＳＩ特性生成モジュール１２４の入力とし、逆ＲＳＳＩ特性生成モジュール１２４は、下記の式
ｆ（ｘ＋ｇ（ｘ））＝ａ０＋ａ１＊（ｘ＋ｇ（ｘ））＋ａ２＊（ｘ＋ｇ（ｘ））２＋…
に基づいて、常温における逆ＲＳＳＩ特性ｆ（ｘ＋ｇ（ｘ））を計算してもよい。
【００５０】
これによって、現在の温度の常温温度に対する温度特性差を補正したため、該逆ＲＳＳＩ特性生成モジュール１２４の出力信号ｆ（ｘ＋ｇ（ｘ））はＲＳＳＩの入力信号の正確な電力値である。
【００５１】
本実施例に係る温度補正装置は、ＲＳＳＩの３つの温度における特性を測定し、補間法によりＲＳＳＩの温度特性を補正することで、任意の温度における入力信号の正確な電力値を取得する。従来技術に比べて、メモリの使用量を低減し、温度補正の精度を向上する。
【００５２】
＜実施例２＞
本発明の実施例は、電子機器をさらに提供する。図４は、該電子機器の構成を示す図である。該電子機器は、ＲＳＳＩ信号を用いて信号の電力を測定し、図４に示すように、該電子機器は、元の構成及び機能を有する以外、温度補正装置４１をさらに含み、該温度補正装置４１は、電子機器が信号の電力を測定する時のＲＳＳＩ入力信号に対して温度補正を行う。
【００５３】
ここで、温度補正装置４１は、温度補正係数を計算する計算モジュール４１１と、温度補正係数を記憶する記憶モジュール４１２を含み、それらは実施例１の温度補正装置により実現されてもよく、ここにその内容の説明を省略とされる。
【００５４】
本実施例に係る電子機器は、実施例１の温度補正装置によりＲＳＳＩ入力信号に対して温度補正を行い、ＲＳＳＩの３つの温度における特性を測定し、補間法によりＲＳＳＩの温度特性を補正することで、任意の温度における入力信号の正確な電力値を取得する。従来技術に比べて、メモリの使用量を低減し、温度補正の精度を向上する。
【００５５】
＜実施例３＞
本発明の実施例は、電子機器をさらに提供する。図５は、該電子機器の構成を示す図である。該電子機器は、ＲＳＳＩ信号を用いて信号の電力を測定し、図５に示すように、該電子機器は、元の構成及び機能を有する以外、温度補正装置５１、計算モジュール５２、及び記憶モジュール５３をさらに含む。
【００５６】
温度補正装置５１は、電子機器が信号の電力を測定する時のＲＳＳＩ入力信号に対して温度補正を行うものである。温度補正装置５１は、図２の温度補正装置により実現されてもよく、ここにその内容の説明を省略とされる。
【００５７】
計算モジュール５２は、常温温度補正係数、低温温度補正係数、及び高温温度補正係数を計算するものである。計算モジュール５２は、実施例１の計算モジュール３１により実現されてもよく、ここにその内容の説明を省略とされる。
【００５８】
記憶モジュール５３は、温度補正装置５１が温度補正係数を選択させるように、計算モジュール５２により計算された常温温度補正係数、低温温度補正係数、及び高温温度補正係数を記憶するものである。記憶モジュール５３は、実施例１の計算モジュール３２により実現されてもよく、ここにその内容の説明を省略とされる。
【００５９】
本実施例に係る電子機器は、実施例１の温度補正装置によりＲＳＳＩ入力信号に対して温度補正を行い、ＲＳＳＩの３つの温度における特性を測定し、補間法によりＲＳＳＩの温度特性を補正することで、任意の温度における入力信号の正確な電力値を取得する。従来技術に比べて、メモリの使用量を低減し、温度補正の精度を向上する。
【００６０】
本発明の実施例は、ＲＳＳＩの温度補正方法をさらに提供する。下記の実施例に説明されるように、該方法が問題を解決する原理は実施例１のＲＳＳＩの温度補正装置と類似するため、その具体的は実施は、実施例１の実施を参照し、重複する部分についてその説明が省略とされる。
【００６１】
＜実施例４＞
本発明の実施例は、ＲＳＳＩの温度補正方法をさらに提供する。図６は、該温度補正方法を示すフローチャートである。図６に示すように、該方法は、以下のステップを含む。
【００６２】
ステップ６０１：現在の温度を測定し、
ステップ６０２：現在の温度に基づいて、予め記憶された常温温度、低温温度及び高温温度に対応する温度補正係数から温度補正係数を選択し、
ステップ６０３：選択された温度補正係数に基づいて、受信信号強度インジケータ（ＲＳＳＩ）の出力信号に対して温度補正を行う。よって、ＲＳＳＩの入力信号の電力を取得する。
【００６３】
ステップ６０２において、現在の温度が常温温度よりも低い場合、低温温度係数を温度補正係数として選択し、現在の温度が常温温度以上である場合、高温温度係数を温度補正係数として選択する。
【００６４】
ステップ６０３において、選択された温度補正係数及びＲＳＳＩの出力信号に基づいて逆ＲＳＳＩ特性差を先に計算して、逆ＲＳＳＩ特性差、ＲＳＳＩの出力信号及び常温温度係数に基づいて逆ＲＳＳＩ特性を計算し、よって、ＲＳＳＩの入力信号の電力取得する。
【００６５】
ステップ６０３において、選択された温度補正係数が低温温度係数である場合、下記の式
ｇ（ｘ）＝（ｔ−ｔ０）＊（ｂｌ０＋ｂｌ１＊ｘ＋ｂｌ２＊ｘ２＋…）
に基づいて、逆ＲＳＳＩ特性差ｇ（ｘ）を計算してもよい。
【００６６】
ステップ６０３において、選択された温度補正係数が高温温度係数である場合、下記の式
ｇ（ｘ）＝（ｔ−ｔ０）＊（ｂｈ０＋ｂｈ１＊ｘ＋ｂｈ２＊ｘ２＋…）
に基づいて、逆ＲＳＳＩ特性差ｇ（ｘ）を計算してもよい。
【００６７】
ここで、ｔは現在の温度であり、ｔ０は所定の常温温度であり、ｂｌ０、ｂｌ１、ｂｌ２、…は所定の低温温度ｔｌに対応する低温温度係数であり、ｂｈ０、ｂｈ１、ｂｈ２、…は所定の高温温度ｔｈに対応する高温温度係数であり、ｘはＲＳＳＩの出力信号である。
【００６８】
ステップ６０３において、下記の式
ｆ（ｘ＋ｇ（ｘ））＝ａ０＋ａ１＊（ｘ＋ｇ（ｘ））＋ａ２＊（ｘ＋ｇ（ｘ））２＋…
に基づいて、逆ＲＳＳＩ特性を計算してもよい。
【００６９】
ここで、ａ０、ａ１、ａ２、…は、常温温度ｔ０に対応する常温温度係数であり、ｘはＲＳＳＩの出力信号であり、ｇ（ｘ）は逆ＲＳＳＩ特性差である。
【００７０】
以下、図６の温度補正方法（図２の温度補正モジュールに対応）をより明確化するため、図７に示す動作のフローチャートを参照しながら、該温度補正方法を詳細に説明する。図７に示すように、該動作フローは、以下のステップを含む。
【００７１】
ステップ７０１：逆ＲＳＳＩ特性生成モジュールに常温温度係数をロードさせ、
ステップ７０２：現在の温度が常温温度以上であるか否かを判断し、ＹＥＳの場合、ステップ７０３を実行し、ＮＯの場合、ステップ７０４を実行し、
ステップ７０３：逆ＲＳＳＩ特性差生成モジュールに高温温度係数をロードさせ、
ステップ７０４：逆ＲＳＳＩ特性差生成モジュールに低温温度係数をロードさせ、
ステップ７０５：式ｆ（ｘ＋ｇ（ｘ））により正確な信号電力を計算する。
【００７２】
本実施例では、常温温度係数、低温温度係数及び高温温度係数は、図８に示す方法により実現されてもよい。図８に示すように、該方法は以下のステップをさらに含む。
【００７３】
ステップ８０１：所定の常温温度ｔ０、低温温度ｔｌ、高温温度ｔｈにおけるＲＳＳＩ特性に対応する常温温度係数ａ０、ａ１、ａ２、…、低温温度係数ｂｌ０、ｂｌ１、ｂｌ２、…、及び高温温度係数ｂｈ０、ｂｈ１、ｂｈ２、…をそれぞれ計算し、
ステップ８０２：該常温温度係数ａ０、ａ１、ａ２、…、低温温度係数ｂｌ０、ｂｌ１、ｂｌ２、…、及び高温温度係数ｂｈ０、ｂｈ１、ｂｈ２、…を記憶する。
【００７４】
ステップ８０１において、常温温度ｔ０、低温温度ｔｌ、高温温度ｔｈそれぞれにおけるＲＳＳＩ特性を測定し、常温温度ｔ０、低温温度ｔｌ、高温温度ｔｈにおけるＲＳＳＩ特性の逆特性を取得し、常温温度ｔ０における逆ＲＳＳＩ特性を多項式フィッティングし、常温温度ｔ０におけるＲＳＳＩ特性に対応する常温温度係数ａ０、ａ１、ａ２、…を取得し、常温温度ｔ０における逆ＲＳＳＩ特性と高温温度ｔｈにおける逆ＲＳＳＩ特性との差を多項式フィッティングし、高温温度ｔｈにおけるＲＳＳＩ特性に対応する高温温度係数ｂｈ０、ｂｈ１、ｂｈ２、…を取得し、常温温度ｔ０における逆ＲＳＳＩ特性と低温温度ｔｌにおける逆ＲＳＳＩ特性との差を多項式フィッティングし、低温温度ｔｌにおけるＲＳＳＩ特性に対応する低温温度係数ｂｌ０、ｂｌ１、ｂｌ２、…を取得してもよい。
【００７５】
以下、図８の方法（図３の計算モジュールに対応）をより明確化するため、図９に示す動作のフローチャートを参照しながら、該温度補正方法を詳細に説明する。図７に示すように、該動作フローは、以下のステップを含む。
【００７６】
ステップ９０１：常温ｔ０、高温ｔｈ及び低温ｔｌにおけるＲＳＳＩ特性を測定し、
ステップ９０２：常温ｔ０における逆ＲＳＳＩ特性を多項式によりフィッティングし、常温温度係数を取得し、
ステップ９０３：常温ｔ０における逆ＲＳＳＩ特性と高温ｔｈにおける逆ＲＳＳＩ特性との差を計算し、
ステップ９０４：常温ｔ０における逆ＲＳＳＩ特性と高温ｔｈにおける逆ＲＳＳＩ特性との差を多項式によりフィッティングし、高温温度係数を取得し、
ステップ９０５：常温ｔ０における逆ＲＳＳＩ特性と低温ｔｌにおける逆ＲＳＳＩ特性との差を計算し、
ステップ９０６：常温ｔ０における逆ＲＳＳＩ特性と低温ｔｌにおける逆ＲＳＳＩ特性との差を多項式によりフィッティングし、低温温度係数を取得する。
【００７７】
本発明の実施例に係る温度補正方法は、ＲＳＳＩの３つの温度における特性を測定し、補間法によりＲＳＳＩの温度特性を補正することで、任意の温度における入力信号の正確な電力値を取得する。従来技術に比べて、メモリの使用量を低減し、温度補正の精度を向上する。
【００７８】
以上のように、本発明の好適な実施形態が説明されている。これらの実施形態の多くの特徴及び利点は詳細な明細書に明確に記載されているため、添付された特許請求の範囲はこれらの実施形態の真実の主旨及び範囲内の全てのこれらの特徴及び利点をカバーするものである。また、当業者にとって、多くの修正及び変更を容易に想到できるため、本発明の実施形態は、例示又は記載された具体的な構成及び動作に限定されたものではなく、その範囲内の全ての適切な修正及び均等物をカバーできる。
【００７９】
なお、本発明の各部分は、ハードウェア、ソフトウェア、ファームウェア、又はそれらの組み合わせにより実現されてもよい。上述した実施形態では、複数のステップ又は方法は、メモリに記憶され、適切な指令によってシステムが実行するソフトウェア又はファームウェアを実行することで実現されてもよい。例えば、ハードウェアで実現される場合、他の実施形態と同じように、データ信号に対して論理機能を有する論理ゲート回路の離散論理回路、論理ゲート回路を適切に組み合わせる専用の集積回路、プログラミング可能ゲートアレイ（ＰＧＡ）、現場プログラミング可能ゲートアレイ（ＦＰＧＡ）などの公知の下記の技術のうちいずれか又はそれらの組み合わせで実現してもよい。
【００８０】
フローチャート又は他の方式に記載された如何なるプロセス、方法の記述又はブロックは、特定の論理機能又はプロセスにおけるステップの実行可能なコードを実現可能なモジュール、セグメント又は部分を表示することと理解してもよい。また、本発明の好適な実施形態の範囲は、他の実施方法を含んでもよく、例えば、示される順序に基づかなく、係る機能に応じて、基本的に同時の方式又は逆の順序に基づいて機能を実行してもよい。
【００８１】
フローチャートに示される、或いは他の方式で記述される論理及び／又はステップ、例えば、論理機能を実現するための実行可能な指令の順序リストは、指令実行システム、装置又はデバイス（例えばコンピュータに基づくシステム、プロセッサを含むシステム、又は他の指令実行システム、装置又はデバイスから指令を取得し、指令を実行可能なシステム）に用いられる、或いはこれらの指令実行システム、装置又はデバイスと結合して使用されるため、如何なるコンピュータの読取可能な媒体に実施されてもよい。本明細書では、「コンピュータが読取可能な媒体」は、指令実行システム、装置若しくはデバイス、又はこれらの指令実行システム、装置、若しくはデバイスの組み合わせを使用させるために、プログラムを含む、記憶、通信、伝播又は伝送する如何なる装置であってもよい。コンピュータが読取可能な媒体は、例えば電気、磁気、光、電磁、赤外線又は半導体のシステム、装置、デバイス、又は伝播媒体であってもよく、これらに限られない。コンピュータが読取可能な媒体は、より具体的な例（非完全のリスト）として、一つ又は複数の配線を有する電気接続部（電子装置）、携帯式のコンピュータディスク（磁気装置）、ランダムアクセスメモリ（ＲＡＭ）（電子装置）、読み出し専用メモリ（ＲＯＭ）（電子装置）、消去可能プログラミング可能ＲＯＭ（ＥＰＲＯＭ又はフラッシュメモリ）（電子装置）、光ファイバー（光装置）、及び携帯式光ディスクＲＯＭ（ＣＤＲＯＭ）（光学装置）を含む。また、コンピュータが読取可能な媒体は、プログラムがプリントされている紙又は他の適切の媒体であってもよく、例えば紙又は他の媒体を光学走査して、編集、解釈、或いは必要に応じて他の適切な方法により処理して、電子方式でプログラムを取得して、コンピュータ記憶手段に記憶する。
【００８２】
上述した文言の説明及び図面は、本発明の各種の異なる特徴を示している。なお、当業者は、適切なコンピュータコードを用意して、上記記載され、図面に示された各ステップ及びプロセスを実現できる。また、上述した各種の端末、コンピュータ、サーバ、ネットワーク等は、如何なるタイプであってもよく、開示の内容に基づいてコンピュータコードを用意して装置を用いて本発明を実現できる。
【００８３】
本発明の特定の実施形態はここに開示されている。本発明は他の環境において他の適用があることは、当業者として容易に認識できる。実際には、多く実施形態又は実現が存在する。本発明の範囲は、上述した具体的な実施形態に限定されるものではない。また、「…に用いられる装置」の引用は、要素及び特許請求の範囲の追加機能を記述するものであり、「…に用いられる装置」が使用されていない引用の要素は、その請求項は「装置」という用語を含んでも、ミーンズプラスファンクションの素子と理解されたくない。
【００８４】
本発明は、特定の好適な実施形態又は複数の実施形態が説明されているが、当業者は明細書及び図面を読み、理解した上、均等的な修正例及び変形例を想到できる。特に、上述した要素（部材、構成要件、装置、構成など）により実行される各種の機能は、例外の指定を除いて、これらの要素の用語（「装置」を含む引用）に対応する該要素の具体的な機能の任意要素（即ち機能均等）に用いられる。また、例示されている幾つの実施形態のただ一つ又は複数について、本発明の具体的な特徴が記述されているが、必要、任意提供されるもの、或いは適用に有利的な面に応じて、これらの特徴と他の実施形態の一つ又は複数の他の特徴と組み合わせてもよい。
【００８５】
また、上述の各実施例を含む実施形態に関し、更に以下の付記を開示する。
【００８６】
（付記１）
現在の温度を測定する温度センサと、
現在の温度に基づいて、予め記憶された常温温度、低温温度及び高温温度に対応する温度補正係数から温度補正係数を選択し、選択された温度補正係数に基づいて、受信信号強度インジケータ（ＲＳＳＩ）の出力信号に対して温度補正を行うデジタル補正モジュールと、を含む、受信信号強度インジケータの温度補正装置。
【００８７】
（付記２）
前記デジタル補正モジュールは、
現在の温度と所定の常温温度とを比較するコンパレータと、
前記コンパレータの比較結果に基づいて、高温温度係数又は低温温度係数を温度補正係数として選択するセレクタと、
選択された温度補正係数及びＲＳＳＩの出力信号に基づいて、逆ＲＳＳＩ特性差を計算する逆ＲＳＳＩ特性差生成モジュールと、
逆ＲＳＳＩ特性差、ＲＳＳＩの出力信号及び常温温度係数に基づいて、逆ＲＳＳＩ特性を計算する逆ＲＳＳＩ特性生成モジュールと、を含む、付記１に記載の温度補正装置。
【００８８】
（付記３）
前記セレクタは、前記コンパレータの比較結果として現在の温度が常温温度よりも低い場合、低温温度係数を温度補正係数として選択し、前記コンパレータの比較結果として現在の温度が常温温度以上である場合、高温温度係数を温度補正係数として選択する、付記２に記載の温度補正装置。
【００８９】
（付記４）
前記逆ＲＳＳＩ特性差生成モジュールは、現在の温度が常温温度よりも低い場合、下記の式
ｇ（ｘ）＝（ｔ−ｔ０）＊（ｂｌ０＋ｂｌ１＊ｘ＋ｂｌ２＊ｘ２＋…）
に基づいて、逆ＲＳＳＩ特性差ｇ（ｘ）を計算し、
前記逆ＲＳＳＩ特性差生成モジュールは、現在の温度が常温温度以上である場合、下記の式
ｇ（ｘ）＝（ｔ−ｔ０）＊（ｂｈ０＋ｂｈ１＊ｘ＋ｂｈ２＊ｘ２＋…）
に基づいて、逆ＲＳＳＩ特性差ｇ（ｘ）を計算し、
ここで、ｔは現在の温度であり、ｔ０は所定の常温温度であり、ｂｌ０、ｂｌ１、ｂｌ２、…は所定の低温温度ｔｌに対応する低温温度係数であり、ｂｈ０、ｂｈ１、ｂｈ２、…は所定の高温温度ｔｈに対応する高温温度係数であり、ｘはＲＳＳＩの出力信号である、付記２に記載の温度補正装置。
【００９０】
（付記５）
前記逆ＲＳＳＩ特性生成モジュールは、下記の式
ｆ（ｘ＋ｇ（ｘ））＝ａ０＋ａ１＊（ｘ＋ｇ（ｘ））＋ａ２＊（ｘ＋ｇ（ｘ））２＋…
に基づいて、逆ＲＳＳＩ特性を計算し、
ここで、ａ０、ａ１、ａ２、…は、常温温度ｔ０に対応する常温温度係数であり、ｘはＲＳＳＩの出力信号であり、ｇ（ｘ）は逆ＲＳＳＩ特性差である、付記２に記載の温度補正装置。
【００９１】
（付記６）
所定の常温温度ｔ０におけるＲＳＳＩ特性に対応する常温温度係数ａ０、ａ１、ａ２、…、所定の低温温度ｔｌにおけるＲＳＳＩ特性に対応する低温温度係数ｂｌ０、ｂｌ１、ｂｌ２、…、及び所定の高温温度ｔｈにおけるＲＳＳＩ特性に対応する高温温度係数ｂｈ０、ｂｈ１、ｂｈ２、…をそれぞれ計算する計算モジュールと、
前記常温温度係数ａ０、ａ１、ａ２、…、低温温度係数ｂｌ０、ｂｌ１、ｂｌ２、…、及び高温温度係数ｂｈ０、ｂｈ１、ｂｈ２、…を記憶する記憶モジュールと、をさらに含む、付記２に記載の温度補正装置。
【００９２】
（付記７）
前記計算モジュールは、
常温温度ｔ０、低温温度ｔｌ、高温温度ｔｈそれぞれにおけるＲＳＳＩ特性を測定する測定モジュールと、
前記常温温度ｔ０、低温温度ｔｌ、高温温度ｔｈにおけるＲＳＳＩ特性の逆特性を取得する逆特性取得モジュールと、
常温温度ｔ０における逆ＲＳＳＩ特性を多項式フィッティングし、常温温度ｔ０におけるＲＳＳＩ特性に対応する常温温度係数ａ０、ａ１、ａ２、…を取得する第１の計算モジュールと、
常温温度ｔ０における逆ＲＳＳＩ特性と高温温度ｔｈにおける逆ＲＳＳＩ特性との差を多項式フィッティングし、高温温度ｔｈにおけるＲＳＳＩ特性に対応する高温温度係数ｂｈ０、ｂｈ１、ｂｈ２、…を取得する第２の計算モジュールと、
常温温度ｔ０における逆ＲＳＳＩ特性と低温温度ｔｌにおける逆ＲＳＳＩ特性との差を多項式フィッティングし、低温温度ｔｌにおけるＲＳＳＩ特性に対応する低温温度係数ｂｌ０、ｂｌ１、ｂｌ２、…を取得する第３の計算モジュールと、を含む、付記６に記載の温度補正装置。
【００９３】
（付記８）
付記１乃至７のいずれかに記載の温度補正装置を含む電子機器であって、
前記温度補正装置により、前記電子機器が信号の電力を測定する時のＲＳＳＩの出力信号に対して温度補正を行う電子機器。
【００９４】
（付記９）
付記１乃至５のいずれかに記載の温度補正装置と、付記６又は７に記載の計算モジュール及び記憶モジュールとを含む電子機器であって、
前記温度補正装置により、前記電子機器が信号の電力を測定する時のＲＳＳＩの出力信号に対して温度補正を行う電子機器。
【００９５】
（付記１０）
現在の温度を測定し、
現在の温度に基づいて、予め記憶された常温温度、低温温度及び高温温度に対応する温度補正係数から温度補正係数を選択し、
選択された温度補正係数に基づいて受信信号強度インジケータ（ＲＳＳＩ）の出力信号に対して温度補正を行い、ＲＳＳＩの入力信号の電力を取得する、受信信号強度インジケータの温度補正方法。
【００９６】
（付記１１）
現在の温度が常温温度よりも低い場合、低温温度係数を温度補正係数として選択し、現在の温度が常温温度以上である場合、高温温度係数を温度補正係数として選択する、付記１０に記載の温度補正方法。
【００９７】
（付記１２）
選択された温度補正係数に基づいてデジタル化の受信信号強度インジケータ（ＲＳＳＩ）の出力信号に対して温度補正を行い、ＲＳＳＩの入力信号の電力を取得するステップは、
選択された温度補正係数及びＲＳＳＩの出力信号に基づいて、逆ＲＳＳＩ特性差を計算し、
逆ＲＳＳＩ特性差、ＲＳＳＩの出力信号及び常温温度係数に基づいて、ＲＳＳＩの入力信号の電力を計算する、付記１０に記載の温度補正方法。
【００９８】
（付記１３）
現在の温度が常温温度よりも低い場合、下記の式
ｇ（ｘ）＝（ｔ−ｔ０）＊（ｂｌ０＋ｂｌ１＊ｘ＋ｂｌ２＊ｘ２＋…）
に基づいて、逆ＲＳＳＩ特性差ｇ（ｘ）を計算し、
現在の温度が常温温度以上である場合、下記の式
ｇ（ｘ）＝（ｔ−ｔ０）＊（ｂｈ０＋ｂｈ１＊ｘ＋ｂｈ２＊ｘ２＋…）
に基づいて、逆ＲＳＳＩ特性差ｇ（ｘ）を計算し、
ここで、ｔは現在の温度であり、ｔ０は所定の常温温度であり、ｂｌ０、ｂｌ１、ｂｌ２、…は所定の低温温度ｔｌに対応する低温温度係数であり、ｂｈ０、ｂｈ１、ｂｈ２、…は所定の高温温度ｔｈに対応する高温温度係数であり、ｘはＲＳＳＩの出力信号である、付記１２に記載の温度補正方法。
【００９９】
（付記１４）
下記の式
ｆ（ｘ＋ｇ（ｘ））＝ａ０＋ａ１＊（ｘ＋ｇ（ｘ））＋ａ２＊（ｘ＋ｇ（ｘ））２＋…
に基づいて、逆ＲＳＳＩ特性を計算し、
ここで、ａ０、ａ１、ａ２、…は、常温温度ｔ０に対応する常温温度係数であり、ｘはＲＳＳＩの出力信号であり、ｇ（ｘ）は逆ＲＳＳＩ特性差である、付記１２に記載の温度補正方法。
【０１００】
（付記１５）
所定の常温温度ｔ０におけるＲＳＳＩ特性に対応する常温温度係数ａ０、ａ１、ａ２、…、所定の低温温度ｔｌにおけるＲＳＳＩ特性に対応する低温温度係数ｂｌ０、ｂｌ１、ｂｌ２、…、及び所定の高温温度ｔｈにおけるＲＳＳＩ特性に対応する高温温度係数ｂｈ０、ｂｈ１、ｂｈ２、…をそれぞれ計算し、
前記常温温度係数ａ０、ａ１、ａ２、…、低温温度係数ｂｌ０、ｂｌ１、ｂｌ２、…、及び高温温度係数ｂｈ０、ｂｈ１、ｂｈ２、…を記憶する、付記１０に記載の温度補正方法。
【０１０１】
（付記１６）
温度係数を計算するステップは、
常温温度ｔ０、低温温度ｔｌ、高温温度ｔｈそれぞれにおけるＲＳＳＩ特性を測定し、
前記常温温度ｔ０、低温温度ｔｌ、高温温度ｔｈにおけるＲＳＳＩ特性の逆特性を取得し、
常温温度ｔ０における逆ＲＳＳＩ特性を多項式フィッティングし、常温温度ｔ０におけるＲＳＳＩ特性に対応する常温温度係数ａ０、ａ１、ａ２、…を取得し、
常温温度ｔ０における逆ＲＳＳＩ特性と高温温度ｔｈにおける逆ＲＳＳＩ特性との差を多項式フィッティングし、高温温度ｔｈにおけるＲＳＳＩ特性に対応する高温温度係数ｂｈ０、ｂｈ１、ｂｈ２、…を取得し、
常温温度ｔ０における逆ＲＳＳＩ特性と低温温度ｔｌにおける逆ＲＳＳＩ特性との差を多項式フィッティングし、低温温度ｔｌにおけるＲＳＳＩ特性に対応する低温温度係数ｂｌ０、ｂｌ１、ｂｌ２、…を取得する、付記１５に記載の温度補正方法。
【図１】
2014071115.tif 000003
【図２】
2014071115.tif 000004
【図３】
2014071115.tif 000005
【図４】
2014071115.tif 000006
【図５】
2014071115.tif 000007
【図６】
2014071115.tif 000008
【図７】
2014071115.tif 000009
【図８】
2014071115.tif 000010
【図９】
2014071115.tif 000011